(57)【要約】【目的】吊り上げ運搬時にスプロケット回転およびチェーン移動を規制するための手段を備えたチェーン式バランス吊具を提供する。【構成】チェーン式バランス吊具において、スプロケット１５の回転軸を通る本体中心軸線に対して左右対称に所定の間隔を隔てて一対のチェーンガイド１７，１８が設けられるとともに、左右のチェーンガイドの間において本体１０を厚さ方向に貫通する差込穴２２が本体中心軸線上に形成される。この差込穴にピン２３が挿入固定されたときに、該ピンが、スプロケットと左右のチェーンガイドとの間を通過するチェーン２０における２つの立った状態のチェーン素子２１，２１の間を挿通することにより、チェーン位置を不動に保持する。【選択図】      図１
2004315126.tif 000002
【特許請求の範囲】
【請求項１】
本体と、本体に対して回動自在に設けられるスプロケットと、スプロケットの上方において本体に固着されるチェーンガイドと、その両端が吊荷に連結されるとともにチェーン素子がスプロケットと係合しながらスプロケットとチェーンガイドとの間を通過するように設けられたチェーンとを有してなるチェーン式バランス吊具において、チェーンガイドが、スプロケットの回転軸を通る本体中心軸線に対して左右対称に所定の間隔を隔てて一対設けられるとともに、左右のチェーンガイドの間において本体を厚さ方向に貫通する差込穴が前記本体中心軸線上に形成され、且つ、この差込穴にピンを挿入固定可能であり、差込穴にピンが挿入固定されたときに、該ピンが、スプロケットと左右のチェーンガイドとの間を通過するチェーンにおける２つの立った状態のチェーン素子の間を挿通することにより、チェーン位置を不動に保持するよう構成されてなることを特徴とするチェーン式バランス吊具。
【請求項２】
左右の各チェーンガイドが、チェーン素子の厚さと略同一またはそれ以上の間隔を隔てて本体の厚さ方向に設けられた前後一対のチェーンガイドからなり、これら前後一対のチェーンガイド間に前記立った状態のチェーン素子が収容されることを特徴とする、請求項１記載のチェーン式バランス吊具。
【請求項３】
前記ピンの頭部に押しバネが設けられるとともに、その先端部には回転プレートが回動可能に連結され、且つ、回転プレートの自由な回動を規制する回転規制部材を有することを特徴とする、請求項１または２記載のチェーン式バランス吊具。
【請求項４】
前記ピンの頭部に押しバネが設けられるとともに、その先端部に形成された凹溝には回転プレートが挿入され且つ該回転プレートは軸ピンを中心として回動可能に設けられ、該凹溝には回転プレートの側面に弾性係合可能な回転規制部材が設けられることを特徴とする、請求項１または２記載のチェーン式バランス吊具。
【請求項５】
回転規制部材が、軸ピンに装着されて回転プレートの側面に弾性係合する波形ワッシャまたは皿バネであることを特徴とする、請求項３または４記載のチェーン式バランス吊具。
【発明の詳細な説明】
【０００１】
【発明の属する技術分野】
本発明は、鉄鋼構造物のようにバランスが取りにくい吊荷であっても自動的にバランスを取りながら安定した姿勢で吊り上げ作業を行うことができるチェーン式バランス吊具に関する。
【０００２】
【従来の技術】
この種のチェーン式バランス吊具として、たとえば、下記特許文献１において、本体と、本体に対して回動自在に設けられるスプロケットと、スプロケットの上方において本体に固着されるチェーンガイドと、その両端が吊荷に連結されるとともにその略中間部においてチェーン素子がスプロケットと係合しながらスプロケットとチェーンガイドとの間を通過するように設けられたチェーンとを有する構成のものが知られている。
【０００３】
【特許文献１】
実用新案登録第２５３１５２８号公報
このような構成の従来のチェーン式バランス吊具は、チェーンを所定の吊角度以上（たとえば６０度以上）に開いて吊荷に連結した状態で、任意の連結手段を介して本体に連結した吊り上げ装置を起動して吊り上げることにより、偏重心の吊荷の場合であっても、吊荷の重心位置がバランス吊具の中心軸線上となるように自動的にスプロケットが回動してチェーンが移動し、バランスが取られるので、特にこのような偏重心の吊荷の引き起こし作業や反転作業等を安定した姿勢で円滑に行うことができるという利点を有している。
【０００４】
【発明が解決しようとする課題】
しかしながら、偏重心の吊荷が吊点に段差のある鉄鋼構造物等である場合において、上述のようなバランス吊りを行うと吊荷が大きく傾いてしまって該吊荷の一部がクレーンや地上構造物等に衝突する場合があり、このような場合には、水平状態を維持しながら吊り上げることが望まれる。また、反対に、重心が取れている吊荷を意図的に傾けて吊り上げたい場合もある。上記従来構成のバランス吊具ではこのようなニーズに対応することができない。
【０００５】
また、上記従来構成のチェーン式バランス吊具においては、吊り上げ運搬時においてもスプロケットが回動自在であるため、途中で吊荷やチェーンが障害物に衝突したような場合にスプロケットが回動してバランスが崩れ、吊荷の落下等の重大事故を引き起こす恐れがあった。
【０００６】
【課題を解決するための手段】
そこで本発明は、上記問題を解決し、吊り上げ運搬時にスプロケット回転およびチェーン移動を規制するための手段を備えた新規な構成のチェーン式バランス吊具を提供することを目的とする。
【０００７】
この目的を達成するため、請求項１にかかる本発明は、本体と、本体に対して回動自在に設けられるスプロケットと、スプロケットの上方において本体に固着されるチェーンガイドと、その両端が吊荷に連結されるとともにその略中間部においてチェーン素子がスプロケットと係合しながらスプロケットとチェーンガイドとの間を通過するように設けられたチェーンとを有してなるチェーン式バランス吊具において、チェーンガイドが、スプロケットの回転軸を通る本体中心軸線に対して左右対称に所定の間隔を隔てて一対設けられるとともに、左右のチェーンガイドの間において本体を厚さ方向に貫通する差込穴が前記本体中心軸線上に形成され、且つ、この差込穴にピンを挿入固定可能であり、差込穴にピンが挿入固定されたときに、該ピンが、スプロケットと左右のチェーンガイドとの間を通過するチェーンにおける２つの立った状態のチェーン素子の間を挿通することにより、チェーン位置を不動に保持するよう構成されてなることを特徴としている。
【０００８】
請求項２にかかる本発明は、請求項１記載のチェーン式バランス吊具において、左右の各チェーンガイドが、チェーン素子の厚さと略同一またはそれ以上の間隔を隔てて本体の厚さ方向に設けられた前後一対のチェーンガイドからなり、これら前後一対のチェーンガイド間に前記立った状態のチェーン素子が収容されることを特徴としている。
【０００９】
請求項３にかかる本発明は、請求項１または２記載のチェーン式バランス吊具において、ピンの頭部に押しバネが設けられるとともに、その先端部には回転プレートが回動可能に連結され、且つ、回転プレートの自由な回動を規制する回転規制部材を有することを特徴としている。
【００１０】
請求項４にかかる本発明は、請求項１または２記載のチェーン式バランス吊具において、ピンの頭部に押しバネが設けられるとともに、その先端部に形成された凹溝には回転プレートが挿入され且つ該回転プレートは軸ピンを中心として回動可能に設けられ、該凹溝には回転プレートの側面に弾性係合可能な回転規制部材が設けられることを特徴としている。
【００１１】
請求項５にかかる本発明は、請求項３または４記載のチェーン式バランス吊具において、回転規制部材が、軸ピンに装着されて回転プレートの側面に弾性係合する波形ワッシャまたは皿バネであることを特徴としている。
【００１２】
【発明の実施の形態】
図１および図２は本発明の一実施形態によるチェーン式バランス吊具を示す。本体１０は一対の鋼板１０ａ，１０ｂが後述するチェーン素子の幅寸法と略同一またはそれよりも若干大きい間隔を隔てて締着ボルト１１ａ，１１ｂ，１１ｃにより連結固着され一体化されている。
【００１３】
本体１０の上部には吊りボルト１２が設けられており、カップリング１３を介してマスターリング１４が連結され、このマスターリング１４にクレーン等の吊り上げ装置（図示せず）のフック（図示せず）を通すことによって該吊り上げ装置による吊り上げを可能にしている。
【００１４】
本体１０の中央部にはセンターボルト１６に平面視略五角形状のスプロケット１５が回動自在に軸支されている。スプロケット１５の各辺は、チェーン２０を構成するチェーン素子２１の一方の長辺縁と係合し、スプロケット１５の回転とともにチェーン素子２１をその回転方向に送り出すのに適した長さ寸法を有している。
【００１５】
スプロケット１５の上方において、左右一対のチェーンガイド１７，１８が、スプロケット１５との間にチェーン通路を残して、締着ボルト１１ａ，１１ｂに回動自在に軸支されている。左右一対のチェーンガイド１７，１８は、吊りボルト１２、スプロケット１５の回転軸であるセンターボルト１６および下方の締着ボルト１１ｃを通る本体中心軸線に対して左右対称に所定の間隔を隔てて配置されている。チェーンガイド１７，１８とスプロケット１５との間に形成されるチェーン通路は、チェーン２０を構成するチェーン素子２１の厚さ（リング径）より大きく且つチェーン素子２１の幅（平置きにしたときの短手寸法）より小さな間隔を有するように設定される。
【００１６】
チェーンガイド１７は、チェーン素子２１の厚さと略同一またはそれ以上の間隔を隔てて本体１０の厚さ方向に設けられた前後一対のチェーンガイド１７ａ，１７ｂから構成されている。同様に、チェーンガイド１８もチェーン素子２１の厚さと略同一またはそれ以上の間隔を隔てて本体１０の厚さ方向に設けられた前後一対のチェーンガイド（符号なし）から構成されている。
【００１７】
以上の記述から理解されるように、チェーンガイド１７，１８とスプロケット１５の間のチェーン通路において、平置き状態のチェーン素子２１は該チェーン通路の隙間内に収容され、立った状態のチェーン素子２１はその一方の長辺縁がスプロケット１５の一辺と係合して案内されるとともにその他方の長辺部がチェーンガイド１７，１８を構成する前後一対のチェーンガイド１７ａ，１７ｂ（チェーンガイド１８については符号なし）の間に収容されており、スプロケット１５の回転とともにチェーン２０全体がその回転方向に移動可能である。
【００１８】
左右一対のチェーンガイド１７，１８の間において本体１０を厚さ方向に貫通する差込穴２２が本体中心軸線上に形成され、この差込穴２２にピン２３を抜き差し可能である。抜き差しピン２３を差込穴２２に挿入して固定すると、スプロケット１５と左右のチェーンガイド１７，１８との間を通過するチェーン２０における２つの立った状態のチェーン素子２１の間に抜き差しピン２３が入り込むので、スプロケット１５が回動自在であっても、チェーン２０の移動を阻止する。
【００１９】
抜き差しピン２３の構成の一例が図３に示されており、本体ピン２３ａの頭部に押しバネ２３ｂが設けられるとともに、その先端部には回転プレート２３ｃが軸ピン２３ｄの回りを回動可能に連結された構造を有している。この実施形態における押しバネ２３ｂはコーンスプリングであって、図３に示される常態から縮小させる方向に外力が加えられたときにこれに抗する押しバネ力を与える。本体ピン２３ａの頭部にはリング２３ｅが固着されていて引き抜き操作を容易にしている。
【００２０】
抜き差しピン２３の先端部は一対の対向壁面を有する二股状に成型されており、これら一対の壁面間の凹溝部に回転プレート２３ｃの基端側が挿入され、該一対の壁面に架け渡した軸ピン２３ｄの回りを回転プレート２３ｃが回転自在とされているが、壁面間の凹溝部には回転プレート２３ｃとともに波ワッシャまたは皿バネよりなる回転規制部材２３ｆが軸ピン２３ｄに回転自在に装着されていて、回転プレート２３ｃの側面に弾性係合して回転プレート２３ｃのフリーな回転に対して抵抗を与えている。
【００２１】
このような抜き差しピン２３を、本体１０を厚さ方向に貫通する差込穴２２に挿入するには、図３に示すように、回転プレート２３ｃを本体ピン２３ａに対して平行に（整列状態に）しておく。回転プレート２３ｃの幅寸法は本体ピン２３ａの径寸法より若干小さい（したがって差込穴２２の内径より若干小さい）ものとされているので、回転プレート２３ｃを整列状態にして抜き差しピン２３を差込穴２２に挿入するに際して邪魔になることはない。
【００２２】
回転プレート２３ｃは回転規制部材２３ｆによって自由な回転が規制されているため、抜き差しピン２３の差込穴２２への挿入の際に図１の整列状態が損なわれることがなく、反対側に貫通させることが容易である。すなわち、抜き差しピン２３の挿入時に自重や外力によって回転プレート２３ｆが傾く（回転する）ことがなく、本体ピン２３ａと回転プレート２３ｃとの整列状態が維持されるため、間隔を隔てた一対の鋼板１０ａ，１０ｂに跨って設けられる差込穴２２に抜き差しピン２３を挿入することが容易であり、また、抜き差しピン２３を水平にして差込穴２２挿入する作業も円滑に行うことができる。
【００２３】
このようにして、整列状態を維持して抜き差しピン２３を差込穴２２に貫通させ、押しバネ２３ｂのバネ力に抗して最奥まで押し込んだ状態が図４に示されており、この状態では抜き差しピン２３の挿入側において押しバネ２３ｂが略扁平状態まで収縮しており、また、抜き差しピン２３の貫通側において回転プレート２３ｃの全長が突出していて回動可能となっている。したがって、抜き差しピン２３を最奥まで押し込んだ状態を維持しながら、回転規制部材２３ｆによる弾性係合力（回転規制力）に抗して回転プレート２３ｃを手動で約９０度回転させて本体ピン２３ａに直交させる。
【００２４】
その後、抜き差しピン２３の押し込み状態を開放すると、押しバネ２３ｂが常態に復帰しようとするため抜き差しピン２３が本体１０の一対の鋼板１０ａ，１０ｂに対して図において左方向に相対移動し、これにより、図２に示すように、直交状態となった回転プレート２３ｃが鋼板１０ａの外側面に当接してストッパとして機能する。図２に示す状態では、押しバネ２３ｂのバネ力と直交状態の回転プレート２３ｃによるストッパ作用とにより、抜き差しピン２３は差込穴２２から抜け落ちることなく不動に保持される。
【００２５】
また、図２の状態にあるときに、抜き差しピン２３の頭部に衝撃が加えられるなどの何らかの原因によって押しバネ２３ｂのバネ力に抗して本体ピン２３ａを押し込む力が作用した場合であっても、回転プレート２３ｃは回転規制部材２３ｆによってその自由な回動が規制されており、手動で意図的に回転させようとしない限り図２に示す直交状態を維持するので、回転プレートが勝手に回転してしまって本体ピンと整列して本体１０の差込穴２２から抜け落ちてしまうことがなく、これによる不慮の事故発生を未然に防止することができる。
【００２６】
抜き差しピン２３を引き抜くには、図２の状態から抜き差しピン２３を押しバネ２３ｂに抗して最奥まで押し込んで図４の状態とし、この状態を維持しつつ回転プレート２３ｃを回転規制部材２３ｆに抗して手動で約９０度（図２において反時計方向に）回転させることによって回転プレート２３ｃを元の整列状態（図１）に戻した後、リング２３ｅを持って引き抜けばよい。
【００２７】
なお、抜き差しピン２３に関する上記説明においては回転プレート２３ｃに対する回転規制部材２３ｆとして波ワッシャまたは皿バネよりなるものを例示したが、これらに限定されるものではなく、回転プレート２３ｃの自由な回動を規制して外力が与えられない状態においてはその時点の回転角度に維持し、且つ、これを手動にて比較的容易に回転させることができる程度の抵抗力・弾性力を与えるものであれば、回転規制部材２３ｆとして用いることが可能である。たとえば、各種装置において位置決め部品として汎用されているプランジャ（スプリングプランジャ、ボールプランジャ、プレスフィットプランジャ等）を回転規制部材２３ｆとして用いてもよい。
【００２８】
以上のように構成されたチェーン式バランス吊具を用いて偏重心の吊荷を吊り上げるときの用法および作用について、図５および図６を参照して説明する。
【００２９】
まず、このチェーン式バランス吊具を用いて、吊点Ｐ１，Ｐ２に段差のある偏重心吊荷Ｗを水平状態で吊り上げる場合の用法および作用について説明する。本体１０の上部に設けた吊りボルト１２にカップリング１３およびマスターリング１４を連結するとともに、チェーン２０両端にも各々カップリング２４，２４およびクランプ２５，２５を連結した状態として、マスターリング１４にクレーン等の吊り上げ装置（図示せず）のフック（図示せず）を通し、該吊り上げ装置を駆動してチェーン式バランス吊具を吊荷Ｗの現場まで移動させ、チェーン２０の両端に連結したクランプ２５，２５を、地面等に置かれた吊荷Ｗの吊点Ｐ１，Ｐ２にてセットする（図５）。このとき、両クランプをセットする吊点Ｐ１，Ｐ２の高さは所定の許容範囲内であれば異なっていてもよく、吊荷Ｗの重心位置との関係も考慮する必要はない。この状態では、吊荷Ｗの重心位置Ｇはクランプ本体の中心軸線Ｘ上から外れており、低い吊点位置Ｐ１にセットされた側のチェーン２０ａが高い吊点位置Ｐ２にセットされた側のチェーン２０ｂよりも長くなっている。
【００３０】
次いで、抜き差しピン２３を本体１０の差込穴２２に挿入し、前述の要領にて、押しバネ２３ｂのバネ力と直交状態の回転プレート２３ｃによるストッパ作用とによって差込穴２２からの抜け落ちを防止して固定する。抜き差しピン２３は、スプロケット１５と左右のチェーンガイド１７，１８との間を通過するチェーン２０における２つの立った状態のチェーン素子２１の間に入り込んで、チェーン２０の移動を阻止し、チェーン２０は不動に保持される。
【００３１】
前述のように、何らかの原因によって押しバネ２３ｂのバネ力に抗して本体ピン２３ａを押し込む力が作用した場合であっても、回転プレート２３ｃは回転規制部材２３ｆによってその自由な回動が規制されていることから、この回転規制力を上回る力で意図的に回転させようとしない限り、抜き差しピン２３が差込穴２２から外れることはない。したがって、図５の状態でクレーン等の吊り上げ装置を駆動して吊荷Ｗを吊り上げることにより、吊荷Ｗの水平状態を維持したまま所要の工事現場等まで運搬することができる。
【００３２】
このようにして水平状態で安全に吊荷Ｗを工事現場等に運搬し、適所にて吊荷Ｗを吊り降ろした後、チェーン式バランス吊具を吊荷Ｗから外す。また、前述のようにして抜き差しピン２３を差込穴２２から引き抜く。
【００３３】
次に、このチェーン式バランス吊具を用いて、吊点Ｐ１，Ｐ２に段差のある偏重心吊荷Ｗを重心を取りながらバランス吊りする場合の用法および作用について説明する。この場合も、前記と同様にして、このチェーン式バランス吊具のチェーン２０の両端に連結したクランプ２５，２５を吊荷Ｗの吊点Ｐ１，Ｐ２にてセットする（図５）が、抜き差しピン２３は用いない。両クランプをセットする吊点Ｐ１，Ｐ２の高さは所定の許容範囲内であれば異なっていてもよいこと、および、吊荷Ｗの重心位置との関係も考慮する必要がないことは、前記の場合と同様である。
【００３４】
このようにしてチェーン式バランス吊具を吊荷Ｗにセットした後、クレーン等の吊り上げ装置を駆動して吊荷Ｗを引き起こしていく。吊荷Ｗが引き起こされるにつれて吊点Ｐ１，Ｐ２の高さずれが徐々に解消されるので、これに伴って、低い吊点位置Ｐ１にセットされた側のチェーン２０ａが反対側に向けてスプロケット１５の回動とともに移動する。吊荷Ｗを完全に吊り上げたときには、吊荷Ｗの重心位置Ｇがチェーン式バランス吊具の本体中心軸線Ｘ上となり、この位置でチェーン２０は停止する（図６）。
【００３５】
吊荷Ｗを完全に吊り上げて吊荷のバランスが取れた時点で、抜き差しピン２３を本体１０の差込穴２２に挿入すると、前述の要領にて、押しバネ２３ｂのバネ力と直交状態の回転プレート２３ｃによるストッパ作用とによって差込穴２２からの抜け落ちを防止して固定されるので、スプロケット１５と左右のチェーンガイド１７，１８との間を通過するチェーン２０における２つの立った状態のチェーン素子２１の間に入り込んで、チェーン２０の移動を阻止する。これにより、吊荷のバランスを保持して安全な吊り上げ作業を行うことができる。また、前述のように、何らかの原因によって押しバネ２３ｂのバネ力に抗して本体ピン２３ａを押し込む力が作用した場合であっても、回転プレート２３ｃは回転規制部材２３ｆによってその自由な回動が規制されていることから、この回転規制力を上回る力で意図的に回転させようとしない限り、抜き差しピン２３が差込穴２２から外れることはない。
【００３６】
このようにしてバランスが取れた状態で安全に吊荷Ｗを工事現場等に運搬し、適所にて吊荷Ｗを吊り降ろした後、チェーン式バランス吊具を吊荷Ｗから外す。また、前述のようにして抜き差しピン２３を差込穴２２から引き抜く。
【００３７】
【発明の効果】
本発明によれば、バランス吊具において、左右のチェーンガイドの間で本体を厚さ方向に貫通する差込穴が本体中心軸線上に形成され、この差込穴に挿入固定されたピンが、スプロケットと左右のチェーンガイドとの間を通過するチェーンにおける２つの立った状態のチェーン素子の間に挿入されることにより、チェーン位置を不動に固定するよう構成されているので、吊り上げ運搬時にスプロケットの回転とともにチェーンが移動して吊荷の落下等の重大事故を引き起こすような懸念がなく、特に吊点に段差のある鉄鋼構造物に対する玉掛け作業、引き起こし作業、玉掛け外し作業等を安全且つ円滑に行うことができる。
【００３８】
差込穴に挿入固定可能なピンとして、回転プレートの自由な回動を規制する手段を有する新規な構造の抜き差しピンを用いることにより、本体の差込穴への挿入が容易となるだけでなく、本体の差込穴にセットされている状態で本体ピンを押し込む方向の衝撃等が加わったときであっても回転プレートが不意に回転してしまうことがなく、チェーン移動を確実に規制することができる。
【図面の簡単な説明】
【図１】本発明の一実施形態によるチェーン式バランス吊具の正面図である。
【図２】このチェーン式バランス吊具の側面図である。
【図３】このチェーン式バランス吊具においてチェーン移動を規制するために用いられるピンの好適な具体例を常態で示す図である。
【図４】図３の抜き差しピンをチェーン式バランス吊具本体の差込穴に差し込み、押しバネのバネ力に抗して押し込んで回転プレートの全長が差込穴の反対側から完全に出た状態にして、回転プレートを回転可能とした状態図（ａ）およびこのときの抜き差しピンの先端側の端面図（ｂ）である。
【図５】本発明のチェーン式バランス吊具を吊点に段差のある偏重心吊荷にセットした状態図である。
【図６】図５の状態から吊荷をバランスを取りながら吊り上げたときの状態図である。
【符号の説明】
１０  本体
１０ａ，１０ｂ  一対の鋼板
１１ａ，１１ｂ，１１ｃ  締着ボルト
１２  吊りボルト
１３  カップリング
１４  マスターリング
１５  スプロケット
１６  センターボルト
１７，１８  左右一対のチェーンガイド
１７ａ，１７ｂ  前後一対のチェーンガイド
２０  チェーン
２１  チェーン素子
２２  差込穴
２３  抜き差しピン
２３ａ  本体ピン
２３ｂ  押しバネ
２３ｃ  回転プレート
２３ｄ  軸ピン
２３ｅ  リング
２３ｆ  回転規制部材
２４  クランプ
Ｗ  偏重心の吊荷
Ｐ１，Ｐ２  高さの異なる吊点位置
【図１】
2004315126.tif 000003
【図２】
2004315126.tif 000004
【図３】
2004315126.tif 000005
【図４】
2004315126.tif 000006
【図５】
2004315126.tif 000007
【図６】
2004315126.tif 000008